(57)【要約】      （修正有）【課題】外部装置のアプリ変更を必要とすることなく、不要なレシートの発行を無くすことができるレシート発行装置およびレシート発行システムを提供する。【解決手段】決済情報と所定のコマンドとを送信する外部装置２から、決済情報を受信する決済情報受信手段６１と、決済情報の受信後、所定のコマンドを受信するコマンド受信手段６２と、所定のコマンドの受信の有無および／または受信内容に基づいて、会計レシートを発行するか否かを判定する判定手段６４と、判定手段６４により会計レシートを発行すると判定した場合、決済情報を印刷して、会計レシートを発行するレシート発行手段６５と、を備える。【選択図】図２
2010044675.tif 000002
【特許請求の範囲】
【請求項１】
決済情報と所定のコマンドとを送信する外部装置から、前記決済情報を受信する決済情報受信手段と、
前記決済情報の受信後、前記所定のコマンドを受信するコマンド受信手段と、
前記所定のコマンドの受信の有無および／または受信内容に基づいて、会計レシートを発行するか否かを判定する判定手段と、
前記判定手段により前記会計レシートを発行すると判定した場合、前記決済情報を印刷して、前記会計レシートを発行するレシート発行手段と、を備えたことを特徴とするレシート発行装置。
【請求項２】
前記判定手段は、
前記所定のコマンドが、現金決済またはクレジット決済を特定するコマンドである場合、前記会計レシートを発行すると判定することを特徴とする請求項１に記載のレシート発行装置。
【請求項３】
前記所定のコマンドは、
前記外部装置における現金決済またはクレジット決済に伴う操作によって発生するコマンドであることを特徴とする請求項１または２に記載のレシート発行装置。
【請求項４】
前記所定のコマンドは、キャッシュドロワを駆動させるためのコマンドであることを特徴とする請求項１または２に記載のレシート発行装置。
【請求項５】
前記判定手段は、
前記所定のコマンドが、電子決済を特定するコマンドである場合、前記会計レシートを発行しないと判別することを特徴とする請求項１または２に記載のレシート発行装置。
【請求項６】
外部装置から、決済情報および各種コマンドを受信する受信手段と、
前記外部装置から、前記決済情報の受信後、所定時間内に、決済方法を特定できる所定のコマンドを受信したか否かを判定するコマンド受信判定手段と、
前記コマンド受信判定手段による判定結果に基づいて、前記会計レシートを発行するか否かを判定する判定手段と、
前記判定手段により前記会計レシートを発行すると判定した場合、前記決済情報を印刷して、前記会計レシートを発行するレシート発行手段と、を備えたことを特徴とするレシート発行装置。
【請求項７】
請求項１ないし６のいずれか１項に記載のレシート発行装置と、前記外部装置と、により構成されることを特徴とするレシート発行システム。
【請求項８】
外部装置から印刷情報を受信する印刷情報受信手段と、
所定のコマンドを受信するコマンド受信手段と、
前記所定のコマンドの受信の有無および／または受信内容に基づいて、前記印刷情報を印刷するか否かを判定する判定手段と、を備え、
前記印刷情報受信手段が前記印刷情報を受信した後、
前記コマンド受信手段が前記所定のコマンドを受信したとき、
前記判定手段は、前記印刷情報を印刷すると判定し、
前記コマンド受信手段が前記所定のコマンドを受信しないとき、
前記判定手段は、前記印刷情報を印刷しないと判定することを特徴とする印刷装置。
【請求項９】
外部装置から印刷情報を受信した後、
所定のコマンドの受信の有無および／または受信内容に基づいて、前記印刷情報を印刷するか否かを判定することを特徴とする印刷装置の制御方法。
【発明の詳細な説明】
【技術分野】
【０００１】
本発明は、顧客の購入商品に関する会計レシートを発行するレシート発行装置、レシート発行システム、印刷装置および印刷装置の制御方法に関するものである。
【背景技術】
【０００２】
従来、顧客が購入した商品の決済（会計）処理を行い、その決済情報（会計情報）をレシートとして発行するシステムが知られている。例えば、特許文献１には、レシートの発行方法として、紙レシートの発行または／および電子レシートの発行、またはレシート不要を、顧客が選択できるレシート発行システムが記載されている。このシステムでは、ＰＯＳ端末の表示部（顧客に対して各種情報を表示する表示部）に、「レシート不要」、「電子レシート希望」、および「両方とも希望」の選択肢を表示し、顧客がこれらの選択肢の中からいずれかを選択することで、顧客が希望するレシートを発行する（あるいは、レシートを発行しない）。また、顧客が上述の選択肢を選択しない場合は、レシート用紙に印刷したレシート（紙レシート）を発行する。
【特許文献１】特開２００４−１５１８３８号公報
【発明の開示】
【発明が解決しようとする課題】
【０００３】
ところで、上述のレシート発行システムでは、顧客が買い物をする度に（決済をする度に）レシートの発行方法を選択する操作をしなければならず、顧客が煩わしさを感じることが考えられる。このため、実際にはレシートが不要な顧客（例えば、電子マネーで決済をした顧客）であっても、レシート発行方法（「電子レシート希望」や「レシート不要」）を選択しないまま決済を終えてしまい、結果として不要なレシート（紙レシート）を発行してしまうという問題がある。また、上記のレシート発行方法を選択する機能を実現するためには、ＰＯＳ端末側のアプリケーションの変更が必要となり、導入コストが嵩むといった問題がある。
【０００４】
本発明は、上記の問題に鑑みたものであり、外部装置のアプリ変更を必要とすることなく、不要なレシートの発行を無くすことができるレシート発行装置、レシート発行システム、印刷装置および印刷装置の制御方法を提供することを目的とする。
【課題を解決するための手段】
【０００５】
本発明のレシート発行装置は、決済情報と所定のコマンドとを送信する外部装置から、決済情報を受信する決済情報受信手段と、決済情報の受信後、所定のコマンドを受信するコマンド受信手段と、所定のコマンドの受信の有無および／または受信内容に基づいて、会計レシートを発行するか否かを判定する判定手段と、判定手段により会計レシートを発行すると判定した場合、決済情報を印刷して、会計レシートを発行するレシート発行手段と、を備えたことを特徴とする。
【０００６】
この構成によれば、所定のコマンドの受信の有無および／または受信内容（所定のコマンドの内容。例えば、決済方法を特定する内容）に基づいて、会計レシートを発行するか否かを判定し、発行すると判定した場合にのみ会計レシートを発行する。例えば、所定のコマンドが現金決済またはクレジット決済を特定するコマンド（あるいは内容）である場合、会計レシートを発行し、電子決済を特定するコマンド（あるいは内容）である場合、会計レシートを発行しないようにすることで、会計レシートが必要な場合にのみ会計レシートを発行することとなり、不要な会計レシートの発行を無くすことができる。
また、所定のコマンドの受信の有無および／または受信内容で会計レシートを発行する／しないを決定するため、顧客および店舗の店員は特別な作業をする必要がなく、負担を掛けることがない。
さらに、所定のコマンドとして既存のコマンドを利用することで、外部装置にレシートの発行方法に関する特別な機能を追加する必要がないため、外部装置のアプリ変更をすることなく実現でき、導入コストを抑えることができる。
【０００７】
本発明のレシート発行装置において、判定手段は、所定のコマンドが、現金決済またはクレジット決済を特定するコマンドである場合、会計レシートを発行すると判定することが好ましい。
【０００８】
この構成によれば、現金決済やクレジット決済等、一般的に会計レシートの発行が必要な場合（一般的に顧客が会計レシートの発行を希望する場合）にのみ、会計レシートを発行することができる。
【０００９】
本発明のレシート発行装置において、所定のコマンドは、外部装置における現金決済またはクレジット決済に伴う操作によって発生するコマンドであることが好ましい。
【００１０】
また、本発明のレシート発行装置において、所定のコマンドは、キャッシュドロワを駆動させるためのコマンドであることが好ましい。
【００１１】
これらの構成によれば、所定のコマンドを現金決済やクレジット決済に伴う操作によって発生するコマンドとすることで、外部装置のアプリ変更を必要とすることなく（特別な機能を追加することなく）、適切に会計レシートを発行することができる。
特に、キャッシュドロワを駆動（オープン）する場合、一般的には、現金決済と判断できるため、キャッシュドロワの駆動に伴うコマンドを会計レシートを発行する／しないを判定する基準コマンドとして用いることは有効である。
【００１２】
本発明のレシート発行装置において、判定手段は、所定のコマンドが、電子決済を特定するコマンドである場合、会計レシートを発行しないと判別することが好ましい。
【００１３】
この構成によれば、電子決済を行う場合、一般的に会計レシート（紙レシート）を必要としない場合が多い。このため、電子決済の場合は、会計レシートを発行しないとすることにより、不要な会計レシートの発行を無くすことができる。
【００１４】
本発明のレシート発行装置は、外部装置から、決済情報および各種コマンドを受信する受信手段と、外部装置から、決済情報の受信後、所定時間内に、決済方法を特定できる所定のコマンドを受信したか否かを判定するコマンド受信判定手段と、コマンド受信判定手段による判定結果に基づいて、会計レシートを発行するか否かを判定する判定手段と、判定手段により会計レシートを発行すると判定した場合、決済情報をレシート用紙に印刷して、会計レシートを発行するレシート発行手段と、を備えたことを特徴とする。
【００１５】
この構成によれば、所定時間内に所定のコマンドを受信したか否かにより、会計レシートを発行する／しないを決定する。例えば、所定のコマンドが現金決済またはクレジット決済を特定するコマンドである場合、会計レシートを発行し、電子決済を特定するコマンドである場合、会計レシートを発行しないようにする。これにより、顧客および店舗の店員は特別な作業をする必要がなく会計レシートを発行する／しないを決定でき、且つ不要な会計レシートの発行を無くすことができる。
【００１６】
本発明のレシート発行システムは、上記に記載のレシート発行装置と、外部装置と、により構成されることを特徴とする。
【００１７】
この構成によれば、外部装置のアプリ変更を必要とすることなく、不要なレシートの発行を無くすことができるレシート発行システムを提供することができる。
【００１８】
本発明の印刷装置は、外部装置から印刷情報を受信する印刷情報受信手段と、所定のコマンドを受信するコマンド受信手段と、所定のコマンドの受信の有無および／または受信内容に基づいて、印刷情報を印刷するか否かを判定する判定手段と、を備え、印刷情報受信手段が印刷情報を受信した後、コマンド受信手段が前記所定のコマンドを受信したとき、判定手段は、印刷情報を印刷すると判定し、コマンド受信手段が所定のコマンドを受信しないとき、判定手段は、印刷情報を印刷しないと判定することを特徴とする。
【００１９】
また、本発明の印刷装置の制御方法は、外部装置から印刷情報を受信した後、所定のコマンドの受信の有無および／または受信内容に基づいて、印刷情報を印刷するか否かを判定することを特徴とする。
【００２０】
この構成と方法によれば、所定のコマンドの受信の有無および／または受信内容（所定のコマンドの内容。例えば、決済方法を特定する内容）に基づいて、印刷情報を印刷するか否かを判定する。例えば、印刷情報が会計レシートを印刷（発行）するための情報である場合、所定のコマンドが現金決済またはクレジット決済を特定するコマンド（あるいは内容）の時は会計レシートを印刷（発行）し、電子決済を特定するコマンド（あるいは内容）の時は会計レシートを印刷しないようにすることで、会計レシートが必要な場合にのみ会計レシートを印刷することとなり、不要な会計レシートの印刷を無くすことができる。
また、所定のコマンドの受信の有無および／または受信内容で印刷情報を印刷する／しないを決定するため、顧客および店舗の店員は特別な作業をする必要がなく、負担を掛けることがない。
さらに、所定のコマンドとして既存のコマンドを利用することで、外部装置に特別な機能を追加する必要がないため、外部装置のアプリ変更をすることなく実現でき、導入コストを抑えることができる。
【発明を実施するための最良の形態】
【００２１】
[第１実施形態]
以下、添付の図面に基づいて、本発明の一実施形態に係るレシート発行装置およびレシート発行システムについて説明する。図１は、本発明のレシート発行システムを適用したＰＯＳ端末１の制御ブロック図（第１実施形態）である。同図に示すように、ＰＯＳ端末１は、ＰＯＳコンピュータ２（外部装置）、レシート発行装置３、およびキャッシュドロワ４により構成されている。
【００２２】
ＰＯＳコンピュータ２は、販売商品の決済処理を行うものであり、ＣＰＵ１１（Central Processing Unit）、ＲＯＭ１２（Read Only Memory）、ＲＡＭ１３（Random Access Memory）、ＨＤＤ１４（Hard Disk Drive）、インターフェース１５（Ｉ／Ｆ）、およびＰＯＳ周辺機器１６を備えている。
【００２３】
ＣＰＵ１１は、ＰＯＳコンピュータ２の動作全体を制御するものである。ＲＯＭ１２は、ＣＰＵ１１が各種処理を実行するための制御プログラムや制御データを記憶する。ＲＡＭ１３は、ＣＰＵ１１が各種処理を実行する際の作業領域として利用される。ＨＤＤ１４は、ＰＯＳアプリケーション１４ａおよびプリンタドライバ１４ｂを記憶している。ＰＯＳアプリケーション１４ａは、決済処理を行うプログラムであり、ＰＯＳ周辺機器１６を制御するための制御プログラムを含んでいる。プリンタドライバ１４ｂは、レシート印刷等の印刷制御を行うものである。インターフェース１５は、ＰＯＳ周辺機器１６およびレシート発行装置３と接続するものである。
【００２４】
ＰＯＳ周辺機器１６は、オペレータが商品に関する情報を入力するキーボード２１、商品に貼付、若しくは予め印刷されたバーコードを読み取るバーコードリーダ２２、入力された商品情報等を表示するディスプレイ２３（カスタマディスプレイおよびオペレータ用ディスプレイ）、顧客から提示された会員カードやクレジットカードを読み取るカードリーダ２４、および顧客の所有する電子決済が可能な媒体（例えば、ＩＣカードや携帯電話等。以下、「電子マネー媒体」と称す。）を非接触で読み取るリーダ・ライタ２５から成り、インターフェース１５を介して接続されている。
【００２５】
ＣＰＵ１１は、キーボード２１による入力、またはバーコードリーダ２２によるバーコードの読み取りによって、ＰＯＳサーバ（図示省略）から購入商品の商品情報を取得する。そして、ＣＰＵ１１は、ＰＯＳアプリケーション１４ａと協同して取得した商品情報を元に決済情報を生成し、インターフェース１５を介して当該決済情報をレシート発行装置３に送信する。
【００２６】
キャッシュドロワ４は、紙幣や貨幣、または金券等、決済時に扱う金銭を一時的に収納するものであり、インターフェース４ａを介してレシート発行装置３と接続されている。なお、本実施形態では、現金決済（金券での決済も含む）場合にのみ、キャッシュドロワ４がオープン（駆動）されるものとする。
【００２７】
レシート発行装置３は、販売商品のレシートＲ（会計レシート）を発行するものであり、ＣＰＵ３１、ＲＯＭ３２、ＲＡＭ３３、印刷部３４、切断部３５、およびインターフェース３６を備えている。ＣＰＵ３１は、レシート発行装置３の動作全体を制御するものである。ＲＯＭ３２は、ＣＰＵ３１が各種処理を実行するための制御プログラムや制御データを記憶する。ＲＡＭ３３は、ＣＰＵ３１が各種処理を実行する際の作業領域として利用される。
【００２８】
インターフェース３６は、ＰＯＳコンピュータ２およびキャッシュドロワ４と接続するものである。ＣＰＵ３１は、ＰＯＳコンピュータ２から決済情報や各種コマンドを受信する。また、ＣＰＵ３１は、インターフェース３６を介して接続されたキャッシュドロワ４を駆動する（ドロワオープン制御を行う）。印刷部３４は、決済情報をレシート用紙に印刷する印刷手段として機能する。切断部３５は、印刷済みのレシート用紙を切断する切断手段として機能する。
【００２９】
次に、図２の機能ブロック図を参照して、ＰＯＳコンピュータ２およびレシート発行装置３の機能構成について説明する。図２に示すように、ＰＯＳコンピュータ２は、決済情報生成手段５１、決済情報送信手段５２、および決済特定コマンド送信手段５３を備えている。
【００３０】
決済情報生成手段５１は、ＰＯＳサーバから取得した商品情報を元にレシートＲの印刷に必要な決済情報を生成する。決済情報送信手段５２は、生成した決済情報を、レシート発行装置３に送信する。
【００３１】
決済特定コマンド送信手段５３は、決済方法（現金決済、クレジット決済、電子決済）を特定するコマンド（以下、「決済特定コマンド（所定のコマンド）」と称す。）を、レシート発行装置３に送信する。この決済特定コマンドは、決済処理に伴う操作により発生するコマンドであり、現金決済の場合は、レシート発行装置３に対してキャッシュドロワ４をオープンさせるためのコマンド（以下、「ドロワオープンコマンド」と称す。）を送信する。また、クレジット決済の場合は、クレジットカードを読み取ったことを示すコマンド（以下、「カード読取コマンド」と称す。）を送信する。また、電子決済の場合は、電子マネー媒体を読み取ったことを示すコマンド（以下、「媒体読取コマンド」と称す。）を送信する。
【００３２】
一方、レシート発行装置３は、決済情報受信手段６１、決済特定コマンド受信手段６２（コマンド受信手段）、ドロワオープン手段６３、判定手段６４、およびレシート発行手段６５を備えている。
【００３３】
決済情報受信手段６１は、ＰＯＳコンピュータ２からレシートＲを発行するための決済情報を受信する。決済特定コマンド受信手段６２は、ＰＯＳコンピュータ２から決済特定コマンド（ドロワオープンコマンド、カード読取コマンド、および媒体読取コマンドのいずれか）を受信する。ドロワオープン手段６３は、決済特定コマンド受信手段６２により受信した決済特定コマンドが、ドロワオープンコマンドである場合、キャッシュドロワ４をオープンする（現金または金券の出し入れが可能な状態にする）。
【００３４】
判定手段６４は、決済特定コマンド受信手段６２により受信した決済特定コマンドに基づいて（決済特定コマンドの受信内容に基づいて）、レシートＲを発行するか否かを判定する。レシート発行手段６５は、判定手段６４によりレシートＲを発行すると判定した場合、決済情報をレシート用紙に印刷してレシートＲを発行し、当該レシートＲの発行後、決済情報を消去（破棄）する。また、判定手段６４によりレシートＲを発行しないと判定した場合、決済情報を消去（破棄）し、レシートＲの発行を行わない。なお、レシート発行手段６５は、上述のＣＰＵ３１、印刷部３４、および切断部３５によりその主要部が構成される。
【００３５】
ここで、図３のフローチャートを参照して、レシート発行装置３によりレシートＲを発行する処理（レシート発行処理）について説明する（レシート発行装置３の制御方法）。まず、レシート発行装置３は、ＰＯＳコンピュータ２から決済情報を受信する（Ｓ０１）。続いて、レシート発行装置３は、当該決済情報の受信後、ＰＯＳコンピュータ２から決済特定コマンドを受信する（Ｓ０２）。そして、レシート発行装置３は、受信した決済特定コマンドに基づき、レシートＲを発行するか否かを判定する（Ｓ０３）。
【００３６】
受信した決済特定コマンドが現金決済を示すドロワオープンコマンドの場合（Ｓ０４）、レシート発行装置３は、レシートＲを発行すると判定する（Ｓ０５）。そして、レシート発行装置３は、キャッシュドロワ４をオープンすると共に（Ｓ０６）、受信した決済情報をレシート用紙に印刷して、レシートＲを発行する（Ｓ０７）。その後、レシート発行装置３は、決済情報を消去し（Ｓ０８）、一連のレシート発行処理を終える。
【００３７】
キャッシュドロワ４をオープンする場合、一般的には、現金決済と判断できるため、ドロワオープンコマンドを現金決済を特定するコマンドとして用い、レシートＲを発行する／しないの判定基準とすることは有効である。
【００３８】
また、受信した決済特定コマンドがクレジット決済を示すカード読取コマンドの場合（Ｓ０９）、レシート発行装置３は、レシートＲを発行すると判定する（Ｓ１０）。そして、レシート発行装置３は、受信した決済情報をレシート用紙に印刷して、レシートＲを発行し（Ｓ０７）、その後、当該決済情報を消去して（Ｓ０８）、一連のレシート発行処理を終える。
【００３９】
一方、受信した決済特定コマンドが電子決済を示す媒体読取コマンドの場合（Ｓ１１）、レシート発行装置３は、レシートＲを発行しないと判定する（Ｓ１２）。そして、レシート発行装置３は、レシートＲを発行せずに、受信した決済情報を消去して（Ｓ０８）、一連のレシート発行処理を終える。
【００４０】
以上のように、第１実施形態によれば、決済方法を特定するコマンド（決済特定コマンド）に基づいて、レシートＲを発行するか否かを判定し、発行すると判定した場合にのみレシートＲを発行する。決済特定コマンドが、現金決済およびクレジット決済を特定するコマンドの場合にレシートＲを発行することで、一般的にレシートＲの発行が必要な場合（一般的に顧客がレシートＲの発行を希望する場合）にのみ、レシートＲを発行することができる。また、電子決済の場合は、一般的にレシートＲを必要としない場合が多いため、決済特定コマンドが、電子決済を特定するコマンドの場合はレシートＲを発行しないとすることで、不要なレシートＲの発行を無くすことができる。また、決済方法でレシートＲを発行する／しないを決定するため、顧客および店舗の店員は特別な作業をする必要がなく、負担を掛けることがない。
【００４１】
また、決済特定コマンド（所定のコマンド）として、既存の決済処理に用いるコマンドを利用することで、ＰＯＳコンピュータ２にレシートＲの発行に関する特別な機能を追加する必要がないため、ＰＯＳコンピュータ２のＰＯＳアプリケーション１４ａを変更することなく実現でき、導入コストを抑えることができる。
【００４２】
[第２実施形態]
次に、図４および図５を参照し、本発明の第２実施形態のＰＯＳ端末１０１におけるレシート発行処理について説明する。第２実施形態のＰＯＳ端末１０１の基本的な構成は、第１実施形態のＰＯＳ端末１（図１参照）と同一であるが、レシート発行装置１０３が計時部（図示省略）を備えている点で異なる。
【００４３】
また、第２実施形態のＰＯＳ端末１０１よるレシート発行処理は、レシート発行装置１０３が、ＰＯＳコンピュータ１０２から決済情報を受信した後、所定時間内に決済特定コマンドを受信したか否かによって、レシートＲを発行するか否かを決定する。この所定時間をカウントするために、計時部を用いる。
【００４４】
ここで、図４および図５のフローチャートを参照して、第２実施形態のレシート発行装置１０３のレシート発行処理について説明する（レシート発行装置１０３の制御方法）。なお、図４は、決済特定コマンドを、現金決済を特定することができるコマンド（ドロワオープンコマンド）またはクレジット決済を特定することができるコマンド（カード読取コマンド）とした場合のフローチャートである。また、図５は、決済特定コマンドを、電子決済を特定することができるコマンド（媒体読取コマンド）とした場合のフローチャートである。
【００４５】
図４に示すように、まず、レシート発行装置１０３は、ＰＯＳコンピュータ１０２から決済情報を受信する（Ｓ２１）。続いて、レシート発行装置１０３は、当該決済情報の受信後、所定時間内に、ドロワオープンコマンド、またはカード読取コマンドを受信したか否かを判定する（Ｓ２２，コマンド受信判定手段）。所定時間内にドロワオープンコマンド、またはカード読取コマンドを受信した場合（Ｓ２３；Ｙｅｓ）、レシート発行装置１０３は、レシートＲを発行すると判定し（Ｓ２４，判定手段）、受信した決済情報をレシート用紙に印刷して、レシートＲを発行する（Ｓ２５，レシート発行手段）。そして、レシート発行装置１０３は、当該決済情報を消去し（Ｓ２６）、一連のレシート発行処理を終える。
【００４６】
一方、所定時間内にドロワオープンコマンド、またはカード読取コマンドを受信しなかった場合（Ｓ２３；Ｎｏ）、レシート発行装置１０３は、レシートＲを発行しないと判定する（Ｓ２７，判定手段）。そして、レシート発行装置１０３は、レシートＲを発行せずに、受信した決済情報を消去し（Ｓ２６）、一連のレシート発行処理を終える。
【００４７】
次に、図５について説明する。まず、レシート発行装置１０３は、ＰＯＳコンピュータ１０２から決済情報を受信する（Ｓ３１）。続いて、レシート発行装置１０３は、当該決済情報の受信後、所定時間内に、媒体読取コマンドを受信したか否かを判定する（Ｓ３２）。所定時間内に媒体読取コマンドを受信しなかった場合（Ｓ３３；Ｎｏ）、レシート発行装置１０３は、レシートＲを発行すると判定し（Ｓ３４）、受信した決済情報をレシート用紙に印刷して、レシートＲを発行する（Ｓ３５）。そして、レシート発行装置１０３は、当該決済情報を消去し（Ｓ３６）、一連のレシート発行処理を終える。
【００４８】
一方、所定時間内に媒体読取コマンドを受信した場合（Ｓ３３；Ｙｅｓ）、レシート発行装置１０３は、レシートＲを発行しないと判定する（Ｓ３７）。そして、レシート発行装置１０３は、レシートＲを発行せずに、受信した決済情報を消去し（Ｓ３６）、一連のレシート発行処理を終える。
【００４９】
以上のように、第２実施形態によれば、レシート発行装置１０３は、所定時間内に現金決済またはクレジット決済を特定するコマンドを受信した場合、レシートＲを発行し、受信しなかった場合、レシートＲを発行しない。あるいは、所定時間内に電子決済を特定するコマンドを受信しなかった場合にレシートＲを発行し、受信した場合は、レシートＲを発行しない。これにより、顧客および店舗の店員は特別な作業をする必要がなくレシートＲを発行する／しないを決定でき、且つ不要なレシートＲの発行を無くすことができる。
【００５０】
なお、本実施形態（第１実施形態および第２実施形態）において、決済処理を特定するためのコマンドとして、ドロワオープンコマンド（現金決済）、カード読取コマンド（クレジット決済）、および媒体読取コマンド（電子決済）を用いているが、これに限るものではなく、ＰＯＳコンピュータ２（１０２）において各決済処理に伴う操作によって発生するコマンドであれば良い（例えば、決済処理時に使用する所定キーの押下によって発生するコマンド等）。
【００５１】
また、上述した実施例によらず、ＰＯＳ端末１（１０１）の装置構成や処理工程、およびレシート発行装置３（１０３）の機器構成、処理工程および制御方法等について、本発明の要旨を逸脱しない範囲で、適宜変更も可能である。
【図面の簡単な説明】
【００５２】
【図１】本発明の一実施形態に係るＰＯＳ端末の制御ブロック図である。
【図２】ＰＯＳコンピュータおよびレシート発行装置の機能構成について説明するブロック図である。
【図３】本発明の第１実施形態に係るレシート発行処理について説明するフローチャートである。
【図４】本発明の第２実施形態に係るレシート発行処理について説明するフローチャートである。
【図５】本発明の第２実施形態に係るレシート発行処理について説明するフローチャートである。
【符号の説明】
【００５３】
１…ＰＯＳ端末  ２…ＰＯＳコンピュータ  ３…レシート発行装置  ４…キャッシュドロワ  ６１…決済情報受信手段  ６２…決済特定コマンド受信手段  ６４…判定手段  ６５…レシート発行手段  Ｒ…レシート
【図１】
2010044675.tif 000003
【図２】
2010044675.tif 000004
【図３】
2010044675.tif 000005
【図４】
2010044675.tif 000006
【図５】
2010044675.tif 000007